(57)【特許請求の範囲】
【請求項１】
複数の画像を複数の配置位置に配置させる制御装置であって、
前記複数の画像のうちの１つをユーザに選択させるための第１の画面と、前記第１の画面において選択された画像が前記複数の配置位置のいずれかに配置された第２の画面のうちの、当該第１の画面のみの表示と当該第２の画面のみの表示とが当該複数の配置位置への画像の配置が終了するまで繰り返されるように、当該第１の画面と当該第２の画面を表示装置に表示させる表示制御手段と、
前記表示制御手段により表示された前記第２の画面において配置された画像の配置位置を、ユーザの指示に応じて変更する変更手段と、を有し、
前記表示制御手段は、前記第１の画面における画像の選択に応じて前記第２の画面を表示させる場合に、ユーザによる当該第２の画面に対する指示がなくても当該選択された画像を前記複数の配置位置のうちの未配置位置に表示させ、前記変更手段は、前記表示制御手段により前記第１の画面の表示に切り替わることなく、当該第２の画面において、当該表示された画像の配置位置を変更可能であることを特徴とする制御装置。
【請求項２】
前記表示制御手段による前記第２の画面において表示されている画像を削除する削除手段を有することを特徴とする請求項１に記載の制御装置。
【請求項３】
前記削除手段は、削除対象の画像を選択する画面において選択された画像を削除することを特徴とする請求項２に記載の制御装置。
【請求項４】
前記変更手段により、第１の画像の配置位置が既に第２の画像の配置されている所定の配置位置に変更される場合に、前記削除手段は当該第２の画像を削除し、且つ前記表示制御手段は前記第２の画面において、当該所定の配置位置に当該第１の画像を表示させることを特徴とする請求項２に記載の制御装置。
【請求項５】
前記表示制御手段は、前記第２の画面に対するユーザの指示に応じて、前記第１の画面を表示させることを特徴とする請求項１〜４のいずれか１項に記載の制御装置。
【請求項６】
レイアウトの種類を指定する指定手段を有し、
前記表示制御手段は、前記第２の画面において、前記指定手段によって指定されたレイアウトに対応する複数の配置位置のいずれかに画像が配置され且つ当該複数の配置位置に未配置位置がある場合に、前記第１の画面を表示させることを特徴とする請求項１〜５のいずれか１項に記載の制御装置。
【請求項７】
前記表示制御手段は、前記指定手段によるレイアウトの種類の指定に応じて、前記第２の画面の表示の前に前記第１の画面を表示させることを特徴とする請求項６に記載の制御装置。
【請求項８】
前記第２の画面において配置された画像を転送する転送手段を有することを特徴とする請求項１〜７のいずれか１項に記載の制御装置。
【請求項９】
前記表示制御手段は、前記複数の配置位置への画像の配置が終了する前であっても、ユーザの指示に応じて前記第１の画面と前記第２の画面の表示を完了し、前記転送手段は、当該ユーザの指示に応じて、前記第２の画面において配置された画像を転送することを特徴とする請求項８に記載の制御装置。
【請求項１０】
画像を印刷する印刷部を有し、
前記転送手段は、前記印刷部に画像を転送することを特徴とする請求項８または９に記載の制御装置。
【請求項１１】
カメラ部を有することを特徴とする請求項１〜１０のいずれか１項に記載の制御装置。
【請求項１２】
前記表示制御手段による表示はタッチパネルに対して実行され、前記変更手段は、前記タッチパネルに対するユーザの指示に応じて前記変更を行うことを特徴とする請求項１〜１１のいずれか１項に記載の制御装置。
【請求項１３】
前記複数の配置位置は、３つ以上の配置位置を含むことを特徴とする請求項１〜１２のいずれか１項に記載の制御装置。
【請求項１４】
複数の画像を複数の配置位置に配置させる制御方法であって、
前記複数の画像のうちの１つをユーザに選択させるための第１の画面と、前記第１の画面において選択された画像が前記複数の配置位置のいずれかに配置された第２の画面のうちの、当該第１の画面のみの表示と当該第２の画面のみの表示とが当該複数の配置位置への画像の配置が終了するまで繰り返されるように、当該第１の画面と当該第２の画面を表示装置に表示させる表示制御工程と、
前記表示制御工程において表示された前記第２の画面において配置された画像の配置位置を、ユーザの指示に応じて変更する変更工程と、を有し、
前記表示制御工程では、前記第１の画面における画像の選択に応じて前記第２の画面を表示させる場合に、ユーザによる当該第２の画面に対する指示がなくても当該選択された画像を前記複数の配置位置のうちの未配置位置に表示させ、前記変更工程では、前記表示制御工程において前記第１の画面の表示に切り替わることなく、当該第２の画面において、当該表示された画像の配置位置を変更可能であることを特徴とする制御装置の制御方法。
【請求項１５】
請求項１４に記載の制御方法の各工程をコンピュータにより実現するためのプログラム。
【発明の詳細な説明】
【技術分野】
【０００１】
本発明は、複数の画像を複数の配置位置に配置させる制御装置、制御方法、およびプログラムに関する。
【背景技術】
【０００２】
従来、複数の画像を選択し、それを１枚のシート上に印刷させるレイアウト印刷を行うものが知られている。このとき、印刷対象の画像の選択と、画像の配置位置の指定とを行う必要があるが、使用可能な表示画面に制約がある場合、画像を選択する画面と配置位置を指定する画面とを切り替えながら操作を進めることになる。
【０００３】
下記特許文献１では、プリンタ装置の表示画面において画像の配置位置を指定し、プリンタ装置に接続された撮像装置の表示画面において画像の選択を行う。
【先行技術文献】
【特許文献】
【０００４】
【特許文献１】特開２００９−１２９３４３号公報
【発明の概要】
【発明が解決しようとする課題】
【０００５】
しかしながら、上記特許文献１では、プリンタ装置と撮像装置とを交互に操作しなくてはならず、操作が煩雑となる。
【０００６】
また、特許文献１では配置位置を指定してから画像を選択しなくてはならない。従って先に画像を選択してからその画像をどこに配置させるかを決めることができない。
【０００７】
本発明は、以上の点を鑑みてなされたものであり、ユーザが所望の配置位置に容易に画像を配置させることができる制御装置、制御方法、およびプログラムを提供することを目的とする。
【課題を解決するための手段】
【０００８】
上記課題を解決するため、本発明の制御装置は、複数の画像を複数の配置位置に配置させる制御装置であって、前記複数の画像のうちの１つをユーザに選択させるための第１の画面と、前記第１の画面において選択された画像が前記複数の配置位置のいずれかに配置された第２の画面のうちの、当該第１の画面のみの表示と当該第２の画面のみの表示とが当該複数の配置位置への画像の配置が終了するまで繰り返されるように、当該第１の画面と当該第２の画面を表示装置に表示させる表示制御手段と、前記表示制御手段により表示された前記第２の画面において配置された画像の配置位置を、ユーザの指示に応じて変更する変更手段と、を有し、前記表示制御手段は、前記第１の画面における画像の選択に応じて前記第２の画面を表示させる場合に、ユーザによる当該第２の画面に対する指示がなくても当該選択された画像を前記複数の配置位置のうちの未配置位置に表示させ、前記変更手段は、前記表示制御手段により前記第１の画面の表示に切り替わることなく、当該第２の画面において、当該表示された画像の配置位置を変更可能であることを特徴とする。
【発明の効果】
【０００９】
本発明によれば、ユーザが所望の配置位置に容易に画像を配置させることができる。
【図面の簡単な説明】
【００１０】
【図１】実施形態の印刷制御装置の構成を示すブロック図である。
【図２】操作パネル１１０の外観を示す図である。
【図３】レイアウトの種類を選択する画面を示す図である。
【図４】レイアウトの種類を示す図である。
【図５】画像選択画面を示す図である。
【図６】配置位置選択画面を示す図である。
【図７】配置位置選択画面を示す図である。
【図８】画像選択画面を示す図である。
【図９】配置位置選択画面を示す図である。
【図１０】画像削除画面を示す図である。
【図１１】配置位置選択画面を示す図である。
【図１２】印刷確認画面を示す図である。
【図１３】レイアウト印刷のための処理の流れを示すフローチャートである。
【発明を実施するための形態】
【００１１】
以下、本発明を実施するための形態について図面を用いて説明する。
【００１２】
図１は、本実施形態における印刷制御装置の構成を示すブロック図である。
【００１３】
図１において、ＣＰＵ１０１は印刷制御装置全体の動作の制御を行う。ＲＯＭ１０２はＣＰＵ１０１が実行する制御プログラムを記憶する。なお、ＣＰＵ１０１が実行する制御プログラムはＲＯＭ１０２に記憶されたものに限らず、他の記憶媒体（外部記憶装置や可搬型記憶装置）に記憶されたものとしてもよい。プリンタエンジン１０３は入力された画像データに応じてインク等の記録剤をシート上に付与することにより画像を印刷する。ＳＲＡＭ１０４は印刷制御装置が動作するために種々の設定データを記憶する。ＤＲＡＭ１０５はプリンタエンジン１０３に印刷を行わせるための画像データを記憶したり、ＣＰＵ１０１のワークエリアとして利用したりする。
【００１４】
ＰＣ  Ｉ／Ｆ１０６は印刷制御装置にパーソナルコンピュータ（ＰＣ）１０７を接続するためのインタフェースである。ＰＣ１０７には印刷制御装置を制御するためのプリンタドライバ等がインストールされているものとする。なお、ＰＣ  Ｉ／Ｆ１０６を介して接続される装置はデジタルカメラなど種々の装置としてもよい。また接続方式としては有線としても無線としてもよい。また一対一で接続されるローカルＩ／Ｆとしても複数の装置が接続されるネットワークとしてもよい。
【００１５】
イメージプロセッサ１０８はイメージセンサ１０９によって原稿上の画像を読み取ることによって得た画像データに各種画像処理を施す。イメージセンサ１０９はラインセンサであり原稿を走査しながら反射光を取り込んで電気的な画像データを生成する。
【００１６】
操作パネル１１０はユーザによる操作を受け付けたり、ユーザに通知すべき情報を表示したりする。操作パネル１１０には、表示装置１１１、操作ボタン群１１２、データ処理回路１１３が含まれる。表示装置１１１は印刷制御装置の各種状態の情報、印刷対象の画像データ、ユーザによる操作に応じた情報などを表示する。操作ボタン群１１２は複数のハードキーを含み、これらの操作によって印刷制御装置に種々の処理を実行させる。データ処理回路１１３はキーが押下されたときにそれを示す信号を発生し、どのキーが押下されたかをＣＰＵ１０１に通知する。なお、これらをタッチパネルとして構成し、表示画面内に表示されるボタンをユーザに操作させるものとしてもよい。
【００１７】
カードスロット１１４は着脱可能なメモリカード１１５をセットするためのものである。メモリカード１１５は印刷制御装置で印刷させるためのファイルを複数記憶可能なものである。なお、メモリカードに代えて他の形式の着脱可能なメモリ媒体としてもよいし、印刷制御装置へのセットの仕方も種々の方式を採用可能である。
【００１８】
図２は、操作パネル１１０の外観を示す図である。操作パネル１１０の以下に示すような表示内容の制御（表示制御）はＣＰＵ１０１によってなされる。
【００１９】
ホームボタン２０１は表示装置１１１の画面を全てのモードの開始点となるホーム画面（基本画面）の表示とするためのボタンである。ホーム画面においてはモードを選択させる画面が表示され、ユーザは十字ボタン２０４を操作して、「コピー」、「スキャン」、「カードダイレクト」などのモードを選択し、ＯＫボタン２０５を押下することによってモードを確定させることができる。コピーモードではイメージセンサ１０９によって原稿上の画像を読み取って得た画像データに基づきプリンタエンジン１０３で画像の印刷（コピー）を行うことが可能である。スキャンモードではイメージセンサ１０９によって原稿上の画像を読み取って得た画像データを、メモリカード１１５に保存させたり、ＰＣ１０７に転送したりすることが可能である。カードダイレクトモードではメモリカード１１５に記憶されている画像データに基づく画像をプリンタエンジン１０３で印刷させることが可能である。また、各モードの画面においてメニューボタン２０２を押下することによって更に各モードに応じた機能（サブメニュー）を表示させ、それを選択させることができる。サブメニューは、コピーモードにおいては「フチなしコピー」、「トリミングコピー」などがある。カードダイレクトモードにおいては「レイアウト印刷」、「インデックス印刷」などがある。戻るボタン２０３は一つ前の画面に戻すためのボタンである。スタートボタン２０６はコピー、スキャン、印刷等の開始指示を行うためのボタンである。
【００２０】
ファンクションボタン２０７、２０８は表示装置１１１に表示されている内容（印刷制御装置の状態）に応じてその意味・機能が変化する。表示装置１１１の画面内にファンクションボタンを押下することによりなされる処理内容を示すファンクションガイドが表示される。このファンクションガイドはいずれのファンクションボタンの説明であるかが視認しやすい位置に表示される。
【００２１】
次に、メモリカード１１５に保存されている画像データを任意に複数選択し、１枚のシートに配置させて印刷するレイアウト印刷における操作手順について説明する。図１３はレイアウト印刷のための画像の選択と画像の配置位置を指定する際の処理の流れを示すフローチャートである。このフローチャートはＲＯＭ１０２に記憶されているプログラムをＣＰＵ１０１が実行することによりなされる処理の流れを示す。
【００２２】
ホーム画面においてカードダイレクトモードが選択されると、ＣＰＵ１０１はメモリカード１１５に保存されているデータの中から拡張子がｊｐｇであるファイル（プリンタエンジン１０３で印刷可能なファイル）を検索する。そして検索されたファイル群のファイルリスト（ファイル名の文字コードの若い順に並べたもの）を生成し、順にＩＤ（シリアル番号）を付与し、ＤＲＡＭ１０５に保存する。なお、ファイルの順序はファイル名順に代えて、Ｅｘｉｆ形式のファイルであればＥｘｉｆタグ内に記録されている日付情報の古い順としてもよい。
【００２３】
次にメモリダイレクトモードの画面においてメニューボタン２０２が押下されると、表示装置１１１の画面はサブメニュー画面に切り替わるので、ユーザはレイアウト印刷やインデックス印刷の中からレイアウト印刷を選択する。すると表示装置１１１の画面は図３に示すレイアウトの種類を選択するための画面に切り替わる。図１３のフローチャートはここからの処理を示している。即ち、Ｓ１３０１は図３（ａ）の画面を表示している状態を表している。図３（ａ）において３０１はフォーカスが当たっているレイアウトを示しており、この状態でＯＫボタン２０５が押下されるとこのレイアウトに確定する。十字ボタン２０４によって他のレイアウトをフォーカス位置に移動させることが可能である。左側にレイアウト候補がある場合は矢印３０２が、右側にレイアウト候補がある場合は矢印３０３が表示される。例えば、図３（ａ）では２枚の画像が１枚のシートの上下に配置させるレイアウトを示している。図３（ａ）の画面で十字ボタン２０４で右側を押すと、図３（ｂ）の画面に切り替わり、フォーカスの当たっているレイアウトは４枚の画像を１枚のシートに図のように配置されるレイアウトが選択された状態となる。図３の画面でレイアウトを確定させると、画像選択画面に遷移する（Ｓ１３０２）。
【００２４】
なお、本実施形態ではレイアウトとして図４に示す５種類のレイアウトを選択可能である。図４において斜線部分は画像を配置可能な位置を示している。図４（ａ）は２枚の画像を１枚のシート上に配置するレイアウトである。図４（ｂ）は４枚の画像を１枚のシート上に配置するレイアウトである。図４（ｃ）は８枚の画像を１枚のシートに配置するレイアウトである。図４（ｄ）は４枚の画像を１枚のシートの左半分に配置し、右側には余白を設け、文字等を記入可能としたレイアウトである。図４（ｅ）は５枚の画像のうち１枚を、１枚のシート上の上部の大領域に配置し、他の４枚を下部の残った領域に配置するレイアウトである。ここでは図４（ａ）のレイアウトが選択されたものとする。
【００２５】
レイアウトが選択されるとＳ１３０２に進み、図５に示すような画像選択画面が表示される。この画面ではまずファイルリストの先頭の画像が画像領域５０１に表示される。そして他に画像がある場合、ボタンガイド５０２、５０３が表示される。また現在表示されている画像が何番目であるかを示す画像番号５０４も表示される。画像番号５０４は分母にトータル枚数、分子に何番目の画像かを示す数字を示す。図５の画面で十字ボタン２０４の左側が押されると１０番目の画像の表示に切り替わり、右側が押されると２番目の画像の表示に切り替わる。そして所望の画像が画像領域５０１に表示されている状態でＯＫボタン２０５が押下されるとその画像が配置対象として選択され、Ｓ１３０３の配置位置選択画面に遷移する。
【００２６】
図６は配置位置選択画面の例を示す。ここではＳ１３０１において図４（ａ）のレイアウトが選択されているものとするので、そのレイアウトに応じた画面が表示されている。図６（ａ）の画面ではまだ配置されていない位置にフォーカス６０１が当たり、フォーカス６０１の位置に応じてボタンガイド６０２が表示される。図６のレイアウトでは配置候補は上限の２段のみであるため、フォーカス６０１が上段である場合、ボタンガイド６０２は下向きの表示となり、十字ボタン２０４で下側を押下し図６（ｂ）のようにフォーカス６０１を下段にするとボタンガイド６０２は上向きとなる。このようにして十字ボタン２０４の操作によって配置対象の画像の配置位置を変更することが可能である。そして、フォーカス６０１が配置対象の画像に当たっている状態でＯＫボタン２０５が押下されると当該画像がその配置位置に配置されることが確定される。また、ファンクションガイド６０３はファンクションボタン２０８用のガイドであり、この状態でファンクションボタン２０８が押下されると、その時点で配置された画像によって全ての画像の選択と配置が確定される。なお、図６（ａ）または（ｂ）の状態でファンクションボタン２０８が押下されると１枚のみ画像が配置され、他方の領域は空白の状態で確定する。
【００２７】
図７は図４（ｂ）のレイアウトが選択されている場合の配置位置選択画面の例を示す。図７ではフォーカス６０１の位置が上下左右に移動するので、ボタンガイド６０２はフォーカス位置に応じて上下左右の向きのものが表示される。図７（ａ）の状態で十字ボタン２０４の右側を押すと図７（ｂ）の表示に切り替わる。この画面で十字ボタン２０４の下側を押すと図７（ｃ）に切り替わる。
【００２８】
図６（ａ）の画面においてＯＫボタン２０５が押下され、当該画像の配置位置が決定されると、Ｓ１３０４において未配置領域があるか判定する。即ち、選択されたレイアウトに応じて配置可能な画像の数が決まるので、配置可能な画像の数と既に配置された画像の数とを比較し、未配置の画像の数が０であるかどうかを判断する。そして未配置領域がある場合は図５の画像選択画面に戻り（Ｓ１３０２）、画像の選択と配置位置の選択とを繰り返す。
【００２９】
１つ目の画像の選択と配置位置が決定した後、図５の画面で十字ボタン２０４を操作して別の画像を表示させることによって他の未配置領域に配置すべき画像を選択可能である。例えば図５の画面において十字ボタン２０４の右側が押されると、図８のようにファイルリストの２番目の画像が表示される。ここでＯＫボタン２０５が押下され配置対象の画像が決定されると、図９（ａ）の画面に切り替わる。図９（ａ）の画面では、既に上段の画像９０１の配置が決定しているので、ここで選択された画像は下段に配置され、フォーカス９０２は下段に当たる。ここで十字ボタン２０４の上側を押すと、図９（ｂ）のように新たに選択され、フォーカス９０２が当たっていた画像によって先に決定していた画像９０１を上書き（削除）することとなる。
【００３０】
また、一旦配置が決定した画像の変更は画像削除画面による削除によっても可能である。図９のように既に配置位置が決定した画像がある場合、ファンクションガイド９０３が表示される。ファンクションガイド９０３はファンクションボタン２０７用のガイドである。図９の画面でファンクションボタン２０７が押下されると、図１０に示す画像削除画面に切り替わる。図１０（ａ）の画面に示すように現在の削除対象を示すフォーカス１００１が表示され、フォーカスを移動させるためのボタンガイド１００３が表示される。またファンクションボタン２０８用のファンクションガイド１００２が図に示すように削除終了となる。図１０（ａ）の画面で十字ボタン２０４の下側を押すと、図１０（ｂ）のようにフォーカス１００１が下側に移る。図１０（ａ）の画面においてＯＫボタン２０５が押されるとフォーカス１００１が当たっていた画像が削除され、図１０（ｃ）の表示となる。また図１０（ａ）〜（ｃ）のいずれかの画面においてファンクションボタン２０８が押されると、削除処理を終了し、配置位置選択画面に戻る。例えば図１０の画面において先に選択していた画像を削除した場合、図１１に示すように上段の画像が削除され、２番目に選択した画像１１０１のみが残った状態の配置位置選択画面となる。なお、配置済みの画像が全て削除された場合にＯＫボタン２０５が押下されると画像選択画面に戻る。
【００３１】
Ｓ１３０４において未配置領域が０になったと判断された、またはファンクションボタン２０８が押下されて「全て終了」が選択された場合、図１２の印刷確認画面に切り替わる（Ｓ１３０５）。印刷確認画面では、選択された画像とその配置位置を示す印刷プレビュー１２０１と、印刷部数１２０２と、ファンクションガイド１２０３とが表示される。印刷部数１２０２は印刷プレビュー１２０１で表示されているものを何枚印刷させるかを指定するものであって、十字ボタン２０４の上下操作によって増減される。図１２の画面においてファンクションボタン２０８が押下されると、印刷設定画面が表示され、印刷に使用するシートのサイズ、印刷の品位、画像補正等の設定を行うことが可能である。そして、図１２の画面においてスタートボタン２０６が押下されると、これまでの手順で設定された内容に従ってプリンタエンジン１０３によって印刷が行われる。
【００３２】
なお、本実施形態では表示装置１１１の表示に従って操作ボタン群１１２によって操作を行うようにしたが、タッチパネル方式を採用する場合、対象物にフォーカスを当ててＯＫボタンを押すのに代え、対象物が表示されている領域を直接タッチするようにする。
【００３３】
以上のように、本実施形態によれば、レイアウト印刷に際して画像の選択を行ってからその画像を配置するので、自然な流れで画像の選択と配置位置の決定を行うことができる。しかもその操作が容易である。また、一旦配置位置を決定した画像を容易に変更することが可能となる。
【００３４】
また、以上の説明では自身が印刷機能を持つ印刷制御装置の操作パネルを用いて操作する例について説明したが、これには限らない。例えば、デジタルカメラに保存されている画像のレイアウト印刷を行わせる際、デジタルカメラの操作パネルを用いて同様の操作を行うようにしてもよい。この場合、以上のものと同様の手順で画像の選択と配置位置を決定し、印刷指示を行うと選択した画像とその配置とを示す情報が印刷機能を持った装置に転送され、印刷が実行される。このときのデジタルカメラは印刷機能を持った装置に印刷の実行を指示する印刷制御装置として機能することとなる。
【００３５】
また、本発明は、以下の処理を実行することによっても実現される。即ち、上述した実施例の機能を実現するソフトウェア（プログラム）を、ネットワーク又は各種記憶媒体を介してシステム或いは装置に供給する。そして、そのシステム或いは装置のコンピュータ（ＣＰＵやＭＰＵ等）がプログラムを読み出して実行することによって実現可能である。また、このプログラムは、１つのコンピュータで実行させても、複数のコンピュータが連動して実行するようにしてもよい。また、上記した処理の全てをソフトウェアで実現する必要はなく、一部または全部をハードウェアによって実現するようにしてもよい。
【図１】
0005787495.tif 000002
【図２】
0005787495.tif 000003
【図３】
0005787495.tif 000004
【図４】
0005787495.tif 000005
【図５】
0005787495.tif 000006
【図６】
0005787495.tif 000007
【図７】
0005787495.tif 000008
【図８】
0005787495.tif 000009
【図９】
0005787495.tif 000010
【図１０】
0005787495.tif 000011
【図１１】
0005787495.tif 000012
【図１２】
0005787495.tif 000013
【図１３】
0005787495.tif 000014